【手続補正書】
【提出日】平成23年6月6日(2011.6.6)
【手続補正１】
【補正対象書類名】特許請求の範囲
【補正対象項目名】全文
【補正方法】変更
【補正の内容】
【特許請求の範囲】
【請求項１】
可変速度データパケットを送信するシステムであって、
前記可変速度データパケットを受信し、順方向エラー符号化を利用して前記可変速度データパケットを符号化するデータ符号化手段と、
所定のウォルシュシーケンスのセットからウォルシュシーケンスを選択し、前記選択されたウォルシュシーケンスに従って速度指示信号を符号化する速度指示符号化手段と
を備え、
前記選択されたウォルシュシーケンスは、前記可変速度データパケットの前記速度を示すことを特徴する可変速度送信システム。
【請求項２】
さらに、
パイロットシンボルのセットを受信し、パイロット信号を供給するパイロット手段と、
前記符号化速度指示信号および前記パイロット信号を結合するマルチプレクサ手段と
を備えていることを特徴する請求項１の可変速度送信システム。
【請求項３】
さらに、
受信されるべきデータについての速度をリクエストするための速度リクエストメッセージを受信し、前記速度リクエストメッセージを符号化し、前記符号化速度リクエストメッセージを前記マルチプレクサ手段に供給する速度リクエスト符号化手段を備え、
前記マルチプレクサ手段は、前記符号化速度リクエストメッセージを前記パイロット信号および前記符号化速度指示メッセージと結合するように構成されていることを特徴する請求項２の可変速度送信システム。
【請求項４】
さらに、
前記符号化可変データ速度パケットを受信し、当該符号化可変データ速度パケットを第１の直交カバリングフォーマットに従ってカバリングする第１の直交拡散手段と、
前記符号化速度指示信号を受信し、第２の直交カバリングフォーマットに従って前記符号化速度指示信号をカバリングする第２の直交拡散手段とを備えていることを特徴する請求項１の可変速度送信システム。
【請求項５】
さらに、
前記直交拡散及び符号化可変速度データパケットを受信し、長符号擬似雑音シーケンスに従って前記直交拡散及び符号化された可変速度データパケットをスクランブルする第１のスクランブル手段と、
前記直交拡散及び符号化速度指示信号を受信し、前記長符号擬似雑音シーケンスに従って前記直交拡散及び符号化速度指示信号をスクランブルする第２のスクランブル手段と
を備えていることを特徴する請求項４の可変速度送信システム。
【請求項６】
可変速度データパケットを送信する方法であって、
前記可変速度データパケットを受信することと、
順方向エラー符号化を利用して、前記可変速度データパケットを符号化することと、
所定のウォルシュシーケンスのセットからウォルシュシーケンスを選択することと、
前記選択されたウォルシュシーケンスに従って速度指示信号を符号化することと、を備え、
前記選択されたウォルシュシーケンスは、前記可変速度データパケットの前記速度を示すことを特徴する可変速度送信方法。
【請求項７】
さらに、
パイロット信号に対応するパイロットシンボルのセットを受信することと、
マルチプレクサにおいて、前記符号化速度指示信号および前記パイロット信号を多重化することと
を備えていることを特徴する請求項６の可変速度送信方法。
【請求項８】
さらに、
受信されるべきデータについての速度をリクエストするための速度リクエストメッセージを受信することと、
前記速度リクエストメッセージを符号化することと、
前記符号化速度リクエストメッセージを前記マルチプレクサに供給することと
を備え、
前記マルチプレクサは、前記符号化速度リクエストメッセージを前記パイロット信号および前記符号化速度指示メッセージと結合するように構成されていることを特徴する請求項７の可変速度送信方法。
【請求項９】
さらに、
当該符号化可変データ速度パケットを、第１の直交カバリングフォーマットに従ってカバリングすることと、
前記符号化速度指示信号を、第２の直交カバリングフォーマットに従ってカバリングすることと
を備えていることを特徴する請求項６の可変速度送信方法。
【請求項１０】
さらに、
前記直交拡散及び符号化可変速度データパケットを、長符号擬似雑音シーケンスに従ってスクランブルすることと、
前記直交拡散速度指示信号を、前記長符号擬似雑音シーケンスに従ってスクランブルすることと
を備えていることを特徴する請求項９の可変速度送信方法。
【請求項１１】
可変速度データパケットを送信する装置であって、
前記可変速度データパケットを受信し、順方向エラー符号化を利用して前記可変速度データパケットを符号化するように構成されたデータエンコーダと、
所定のウォルシュシーケンスのセットからウォルシュシーケンスを選択し、前記選択されたウォルシュシーケンスに従って速度指示信号を符号化するように構成された速度指示エンコーダと
を備え、
前記選択されたウォルシュシーケンスは、前記可変速度データパケットの前記速度を示すことを特徴する装置。
【請求項１２】
さらに、
パイロットシンボルのセットを受信し、パイロット信号を供給するように構成されたパイロット発生器と、
前記符号化速度指示信号および前記パイロット信号を結合するように構成されたマルチプレクサと
を備えていることを特徴する請求項１１の装置。
【請求項１３】
さらに、
受信されるべきデータについての速度をリクエストするための速度リクエストメッセージを受信し、前記速度リクエストメッセージを符号化し、前記符号化速度リクエストメッセージを前記マルチプレクサに供給するように構成された速度リクエストエンコーダを備え、
前記マルチプレクサは、前記符号化速度リクエストメッセージを前記パイロット信号および前記符号化速度指示メッセージと結合するように構成されていることを特徴する請求項１２の装置。
【請求項１４】
さらに、
前記符号化可変データ速度パケットを受信し、当該符号化可変データ速度パケットを第１の直交カバリングフォーマットに従ってカバリングするように構成された第１の直交拡散器と、
前記符号化速度指示信号を受信し、第２の直交カバリングフォーマットに従って前記符号化速度指示信号をカバリングするように構成された第２の直交拡散器と
を備えていることを特徴する請求項１１の装置。
【請求項１５】
さらに、
前記直交拡散及び符号化可変速度データパケットを受信し、長符号擬似雑音シーケンスに従って前記直交拡散及び符号化可変速度データパケットをスクランブルするように構成された第１のスクランブル器と、
前記直交拡散及び符号化速度指示信号を受信し、前記長符号擬似雑音シーケンスに従って前記直交拡散及び符号化速度指示信号をスクランブルするように構成された第２のスクランブル器と
を備えていることを特徴する請求項１４の可変速度送信システム。
【請求項１６】
コンピュータ読取可能媒体を備えるコンピュータプログラム製品であって、
前記コンピュータ読取可能媒体は、
コンピュータに、前記可変速度データパケットを受信させる命令と、
コンピュータに、順方向エラー符号化を利用して前記可変速度データパケットを符号化させる命令と、
コンピュータに、所定のウォルシュシーケンスのセットからウォルシュシーケンスを選択させる命令と、
コンピュータに、前記選択されたウォルシュシーケンスに従って速度指示信号を符号化させる命令と、
を備え、
前記選択されたウォルシュシーケンスは、前記可変速度データパケットの前記速度を示すことを特徴するコンピュータプログラム製品。
【請求項１７】
前記コンピュータ読取可能媒体はさらに、
コンピュータに、パイロット信号に対応するパイロットシンボルのセットを受信させる命令と、
コンピュータに、前記符号化速度指示信号および前記パイロット信号をマルチプレクサにおいて結合させる命令と
を備えていることを特徴する請求項１６のコンピュータプログラム製品。
【請求項１８】
前記コンピュータ読取可能媒体はさらに、
コンピュータに、受信されるべきデータについての速度をリクエストするための速度リクエストメッセージを受信させる命令と、
コンピュータに、前記速度リクエストメッセージを符号化させる命令と、
コンピュータに、前記符号化速度リクエストメッセージを前記マルチプレクサに供給させる命令とを備え、
前記マルチプレクサは、前記符号化速度リクエストメッセージを前記パイロット信号および前記符号化速度指示メッセージと結合するように構成されていることを特徴する請求項１７のコンピュータプログラム製品。
【請求項１９】
前記コンピュータ読取可能媒体はさらに、
コンピュータに、当該符号化可変データ速度パケットを第１の直交カバリングフォーマットに従ってカバリングさせる命令と、
コンピュータに、前記符号化速度指示信号を第２の直交カバリングフォーマットに従ってカバリングさせる命令と
を備えていることを特徴する請求項１６のコンピュータプログラム製品。
【請求項２０】
前記コンピュータ読取可能媒体はさらに、
コンピュータに、長符号擬似雑音シーケンスに従って前記直交拡散及び符号化可変速度データパケットをスクランブルさせる命令と、
コンピュータに、前記長符号擬似雑音シーケンスに従って前記直交拡散速度指示信号をスクランブルさせる命令と
を備えていることを特徴する請求項１９のコンピュータプログラム製品。